【事件の表示】
　特願２００３−４２６０７４「写真シール払出装置およびその制御方法」拒絶査定不服審判事件〔平成１７年　７月　７日出願公開、特開２００５−１８１９１２〕について、次のとおり審決する。
【結　論】
　本件審判の請求は、成り立たない。
【理　由】
１．手続の経緯
　本願は、平成１５年（２００３年）１２月２４日の出願（特願２００３−４２６０７４号）であって、平成１８年５月２３日付で拒絶理由が通知され、平成１８年７月２１日付で意見書とともに手続補正書が提出され、平成１９年３月８日付で拒絶理由が通知され、平成１９年５月７日付で意見書とともに手続補正書が提出され、平成１９年５月３０日付で最後の拒絶理由が通知され、平成１９年７月３０日付で意見書とともに手続補正書が提出され、平成１９年９月６日付で、平成１９年７月３０日付手続補正書でなされた手続補正に対して補正の却下の決定がなされ、同日付で拒絶査定がなされ、これに対して、平成１９年１０月１７日に拒絶査定不服審判の請求がなされ、平成１９年１１月１４日付で手続補正がなされたものである。
　
２．平成１９年９月６日付の補正の却下の決定の適法性についての検討
　
２−１．平成１９年７月３０日付手続補正書でなされた手続補正について
　平成１９年７月３０日付手続補正書でなされた手続補正（以下、「査定前補正」という。）により、特許請求の範囲の請求項１に係る発明は、平成１９年５月７日付手続補正書の特許請求の範囲の請求項１に記載の、
「被写体を撮影手段により撮影し、その撮影画像を含む画像をメインパネルに表示し、編集が施された画像に基づく写真を印刷手段によりシール台紙に印刷して払い出す写真シール払出装置において、
　前記撮影手段の近傍に配置され前記撮影手段による被写体のモニタ画像を表示するモニタ手段と、
　予め定められた異なる撮影テーマごとの背景と、その撮影テーマに応じたポーズをとる人物モデルとからなる複数種類のポーズ見本画像であって、前記撮影テーマごとにポーズの異なる人物モデルを含む複数の前記ポーズ見本画像を記憶する記憶手段と、
　前記撮影手段の近傍に配置され、前記複数種類のポーズ見本画像を表示する見本表示手段と、
　ユーザの操作により前記複数の撮影テーマから所望の撮影テーマを選択するテーマ選択手段と、
　前記テーマ選択手段により選択された撮影テーマに対応する前記複数のポーズ見本画像のなかからユーザの操作により所望のポーズ見本画像を選択するポーズ選択手段と、
　撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像をサムネイル画像として前記メインパネルに小さく表示し、前記サムネイル画像から選択された１つの前記ポーズ見本画像を読み出して前記見本表示手段に表示する表示制御手段と
を備えたことを特徴とする写真シール払出装置。」が
　
「被写体を撮影手段により撮影し、その撮影画像を含む画像をメインパネルに表示し、編集が施された画像に基づく写真を印刷手段によりシール台紙に印刷して払い出す写真シール払出装置において、
　前記撮影手段の近傍に配置され前記撮影手段による被写体のモニタ画像を表示するモニタ手段と、
　予め定められた異なる撮影テーマごとの背景と、その撮影テーマに応じたポーズをとる人物モデルとからなるポーズ見本画像であって、前記撮影テーマごとにポーズの異なる人物モデルを含む前記ポーズ見本画像を記憶する記憶手段と、
　前記撮影手段の近傍に配置され、前記ポーズ見本画像を表示する見本表示手段と、
　撮影時に、前記メインパネルに前記記憶手段に記憶されている前記複数の撮影テーマを表示するとともに、前記複数の撮影テーマそれぞれに対応するポーズ見本画像をサムネイル画像として前記メインパネルに小さく表示する表示制御手段と、
　ユーザの操作により前記複数の撮影テーマから所望の撮影テーマを選択するテーマ選択手段とを備え、
　前記表示制御手段は、前記テーマ選択手段により選択された前記撮影テーマに対応する前記ポーズ見本画像、または、ユーザの操作により前記サムネイル画像のなかから選択された前記ポーズ見本画像を前記記憶手段から読み出して前記見本表示手段に表示させることを特徴とする写真シール払出装置。」（以下、「査定前補正発明」という。）と補正された。
　
　この補正は、
ａ．「その撮影テーマに応じたポーズをとる人物モデルとからなる複数種類のポーズ見本画像」の記載を「その撮影テーマに応じたポーズをとる人物モデルとからなるポーズ見本画像」とする補正事項、及び
ｂ．『「前記テーマ選択手段により選択された撮影テーマに対応する前記複数のポーズ見本画像のなかからユーザの操作により所望のポーズ見本画像を選択するポーズ選択手段」と、「撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像をサムネイル画像として前記メインパネルに小さく表示し、前記サムネイル画像から選択された１つの前記ポーズ見本画像を読み出して前記見本表示手段に表示する表示制御手段」』の記載を
『「撮影時に、前記メインパネルに前記記憶手段に記憶されている前記複数の撮影テーマを表示するとともに、前記複数の撮影テーマそれぞれに対応するポーズ見本画像をサムネイル画像として前記メインパネルに小さく表示する表示制御手段と、」と「前記表示制御手段は、前記テーマ選択手段により選択された前記撮影テーマに対応する前記ポーズ見本画像、または、ユーザの操作により前記サムネイル画像のなかから選択された前記ポーズ見本画像を前記記憶手段から読み出して前記見本表示手段に表示させる」』とする補正事項を含むものである。
　そして、上記の補正事項ａ．については、「複数種類のポーズ見本画像」における「複数種類」の限定を省く補正であるから、、平成１８年改正前特許法第１７条の２第４項各号に掲げるいずれの事項をも目的とするものではない。また、上記の補正事項ｂ．については、見本画像の選択のしかたについて、実質的に変更するものであって限定するものとはいえないので、平成１８年改正前特許法第１７条の２第４項各号に掲げるいずれの事項をも目的とするものではない。よって、上記査定前補正は、同法第１７条の２第４項に違反するものである。
　したがって、平成１９年９月６日付の補正の却下の決定の結論自体には誤りがないといえる。
　
２−２．独立特許要件違反についての検討
　ただし、平成１９年７月３０日付手続補正書でなされた手続補正の却下の決定においては、請求項１に係る発明についての補正は限定的減縮を目的としているとして、その際の独立特許要件を判断した上で、平成１８年改正前特許法第１７条の２第５項において準用する同法第１２６条第５項の規定に違反するものであるから、同法第５３条第１項の規定によって却下の決定を行っている。
　そこで、念のため、仮に、上記の査定前補正が、全体として平成１８年改正前特許法第１７条の２第４項第２号に掲げる事項を目的とする補正であって、同法第１７条の２第４項の規定に違反する補正ではないとした場合、査定前補正発明が特許出願の際に独立して特許を受けることができるものであるかについて検討する。
　
 （１）査定前補正発明について
　平成１９年７月３０日付手続補正書でなされた手続補正により、査定前補正発明は、平成１９年７月３０日付手続補正書の請求項１に記載された事項により特定されるものである。（上記「２−１．平成１９年７月３０日付手続補正書でなされた手続補正について」の記載参照。）
　
（２）引用例
　平成１９年７月３０日付手続補正前である平成１９年５月３０日付の拒絶理由通知書に引用され、本願の出願前に頒布された刊行物である特開２０００−３２２４９号公報（以下、「引用例１」という。）には、図面の記載と共に以下の事項が記載されている。
　
ア．「【００２３】
【発明の実施の形態】以下、本発明の実施の形態について図面を参照しながら説明する。尚、ここで示す実施の形態はあくまでも一例であって、必ずしもこの実施の形態に限定されるものではない。
（実施の形態１）本発明に係る映像プリント装置Ａの実施の形態について、図を参照しつつ説明する。
【００２４】図１はこの実施の形態に係る映像プリント装置Ａの正面図、図２は映像プリント装置Ａの左側面図、図３は図１中Ｘ−Ｘ線による断面図、そして図４は図２中Ｙ−Ｙ線による概略断面図である。
【００２５】この映像プリント装置Ａは、撮影装置部Ｐと撮影室Ｑを有する。撮影室Ｑには背面パネル１２を設けているが、この背面パネル１２の内側は、例えば青色等の特定の色に着色してあり、利用者Ｍは撮影時に、この背面パネル１２の前に立つようになっている。また、ここで図示した背面パネル１２の材質や形状は特に定めるものではなく、図示した形状以外であっても、撮影時に利用者の背景に背面パネル１２以外の余計な背景が入らないような形態となっていればよい。
【００２６】撮影装置部Ｐは、利用開始時に料金を投入する為の料金投入口１３、投入された料金を保管しておく料金ボックス１１、利用者の肖像を撮影する撮影手段であるビデオカメラ３、撮影時に使用する照明灯８、後述のようにして作成した合成画像４５を印刷前に確認するために、ハーフミラー５を介してスクリーン窓４に表示する第１表示手段である第１ビデオモニタ１、合成画像４５を印刷用紙Ｒに印刷する印刷手段であるプリンタ６、出来上がった印刷物を取出す為の印刷物取出口１０、を備えている。
【００２７】またその他に、映像プリント装置Ａの各部を操作、制御するコンピュータ７が備えられており、このコンピュータ７は利用者Ｍの指示を入力する入力手段である操作スイッチ９により操作される。
【００２８】操作スイッチ９は図５に示すように、選択スイッチ９ａ、決定スイッチ９ｂ、取消スイッチ９ｃ、で構成されているが、これはあくまでも一例であり、この形状に限定されるものではない。本実施の形態では、利用者Ｍは、後述のように、操作スイッチ９を第１ビデオモニタ１の表示に従って操作する事によりコンピュータ７を操作し、映像プリント装置Ａの操作、制御を行う。例えば、操作スイッチ９を操作して、後述の合成用画像データ４０を選択する合成用画像データ選択手段として利用する。
【００２９】さらにこの撮影装置部Ｐには第２ビデオモニタ２が備えられているが、これは、後述するように、コンピュータ７に登録されている合成画像４５を表示するための第２表示手段として用いられている。
【００３０】　このように構成される映像プリント装置Ａによる合成画像の作成方法について簡単に説明する。まず利用者Ｍは、撮影室Ｑに入り、料金投入口１３に所定の料金を投入して映像プリント装置Ａを操作可能な状態とする。そして操作スイッチ９を操作して利用したい合成用画像データ４０を選択し、次に利用者Ｍ自らの肖像をビデオカメラ３により撮影する。尚、本実施の形態では、利用者Ｍの撮影時に利用者がポーズを取る補助手段として、モデル人物画像データ、モデル人物・背景画像データ、及び撮影ポーズ指導手段が用意されており、利用者Ｍは、必要な場合にこれらのデータ、手段を利用出来、また必要でない場合は、これらを利用しなくても合成画像４５の作成が可能となっている。利用するかしないかは、操作スイッチ９の操作によって決定される。そして撮影された肖像はコンピュータ７により人物画像データ４３に加工され、この人物画像データ４３と先に利用者が選択した合成用画像データ４０をコンピュータ７により合成して合成画像４５を作成する。この合成画像４５の作成は、後で図１０に示すフローチャートを参照しながら、改めて詳細に説明する。
【００３１】以下、この合成画像４５を作成するのに必要な個々のデータ、装置等についてさらに詳しく説明する。まず、合成用画像データ４０について説明する。この合成用画像データ４０は、コンピュータ７を構成する合成用画像データ登録装置２４ａに登録されている。そして合成用画像データ４０は図６に示すように、グラフィック画像データ４１、前景画像データ４２、背景画像データ４４より成る。また合成用画像データ４０は、人物画像データ４３と組み合わせて１つの合成画像４５となる時に調和が取れるように、例えば人物画像データ４３を挿入する部分が空白になっている、等のように、予め加工されている。
【００３２】グラフィック画像データ４１とは、例えばユーザの名前やメッセージ等をコンピュータ７により書き込んで作成する画像である。この入力に用いる文字のフォントや種類、デザイン等は予めコンピュータ７に蓄積されており、利用者はこの中から好みのものを選択出来る。
【００３３】前景画像データ４２とは、図６に示すように人物画像データ４３に被せるようにして合成するために用いる画像である。背景画像データ４４とは、図６に示すように人物画像データ４３の背景となる画像である。
【００３４】また、本実施の形態において、前景画像データ４２及び背景画像データ４４は、利用者が選択しやすいように、それぞれ類似したデザイン毎にグループ化して登録してある。つまり、前景画像データ４２及び背景画像データ４４について、それぞれ３２種類のデザインを用意し、この３２種類のデザインを、例えば風景デザインのグループ、ポップ調デザインのグループ、等のように、４つのグループに分類して登録してある。１つのグループには８種類のデザインが用意されている。
【００３５】このように準備することで、利用者Ｍにとっては、３２種類のデザインを一度に第１ビデオモニタ１に表示するよりも、８種類表示したほうが、１つ１つのデザインをよく観察できるし、また最初に利用したいグループを選択すれば、８種類のデザインから選択すればよいので、選択に要する時間も短くなり、また選択作業も簡潔に出来るので、好ましい。
【００３６】次に、モデル人物画像データ及びモデル人物・背景画像データについて説明する。これは利用者Ｍが合成用背景画像データ４４を準備するに際して、前景画像データ４２や背景画像データ４４を選択する時に実際に完成した合成画像４５のイメージを掴みやすくするために用意しているものである。そしてこれらのデータも、コンピュータ７を構成する合成用画像データ登録装置２４ａに登録されている。
【００３７】このモデル人物画像データとは、特定の合成用画像データ４０のデザインに適したポーズをとった人物画像だけが写されたデータであり、顔だけの画像、上半身の画像、全身画像、等の様々な画像の様々なアングルのデータが用意されている。さらに、人物が１人の場合、２人以上の場合、等のデータも用意すると、より好ましい。また、モデル人物・背景画像データとは、前記のモデル人物画像データに特定の合成用画像データ４０も一緒に写されたデータである。
【００３８】このモデル人物画像データは次のように利用される。利用者Ｍが、まず前景画像データ４２及び背景画像データ４４を選択し準備した後、選択したデータに適したモデル人物画像データを選択し、これらを合成して、モデル人物・背景画像データを作成する。尚、ここで詳述はしないが、このモデル人物・背景画像データを作成するモデル人物・背景画像データ作成手段はコンピュータ７に備えられている。
【００３９】或いは、前述の通り、予めコンピュータ７に用意される前景画像データ４２及び背景画像データ４４に対応したモデル人物画像データを含んだモデル人物・背景画像データを、まず合成画像データ登録装置２４ａに前以て登録しておき、利用者Ｍは、前景画像データ４２及び背景画像データ４４を選択する際に、操作スイッチ９を操作して、このモデル人物・背景画像データを第１ビデオモニタ１に表示し、このモデル人物・背景画像データ中のモデル肖像の表情、或いはポーズ等を参照して、前景画像データ４２及び背景画像データ４４を選択する。
【００４０】この作業を行うことにより、利用者Ｍはイメージ通りの合成画像４５が得られるかどうかを確認することができるので、利用者Ｍの満足度の高い合成画像４５の作成が可能となる。またモデル人物・背景画像データを用いれば、前景画像データ４２及び背景画像データ４４の選択作業と、モデル人物画像データの選択作業を一度に行うことができるので、より簡潔に作業ができて好適である。
【００４１】また、モデル人物画像データ及びモデル人物・背景画像データのモデルがとるポーズやモデルの人数も色々用意しておけば、利用者Ｍが肖像を撮影する時のポージングの参考となるので、利用者Ｍが自ら選択した合成用画像データ４０に適したポーズを取りやすくなり、やはり利用者Ｍの満足度の高い合成画像４５の作成が可能となるので好ましい。」
　
イ．「【０１０８】以上のようにして、本発明に係る映像プリント装置Ａにより合成画像４５が作成され、印刷される。ところで、この合成画像４５の印刷を、従来の映像プリント装置のように、シール紙に印刷することも可能であるが、本実施の形態による映像プリント装置では、合成画像４５をシール紙ではなく、厚手タック紙Ｔである印刷用紙Ｒに印刷するように構成している。
【０１０９】従来のようにシール印刷をする場合では、出来上がったシールをどこにでも気軽に貼ることができる、という利点がある反面、シールである為に、どこかに貼り付けてもすぐ剥がれてしまう、通常のシールであると印刷面が摩擦により傷みやすい、等の理由により保存が困難であったり、シールが小さいので、せっかく合成画像を作成してもその内容がよく分からずに、楽しめない、という欠点を有している。」
　
ウ．また、【図４】には、映像プリント装置の概略断面図が記載されており、第１ビデオモニタ１及び第２ビデオモニタ２が撮影手段であるビデオカメラ３の近傍に配置されていることが読み取れる。
　
　上記記載事項ア．及びイ．から、映像プリント装置に関して
・「利用者の肖像を撮影する撮影手段であるビデオカメラ３」を有すること、
・「撮影された肖像はコンピュータ７により人物画像データ４３に加工され、この人物画像データ４３と先に利用者が選択した合成用画像データ４０をコンピュータ７により合成して合成画像４５を作成する」こと、
・「コンピュータ７に登録されている合成画像４５を表示するための第２表示手段」を有すること、
・「合成画像４５を印刷用紙Ｒに印刷する印刷手段であるプリンタ６」を有すること、
・「この合成画像４５の印刷を、従来の映像プリント装置のように、シール紙に印刷する」ことも可能であること、
・「出来上がった印刷物を取出す為の印刷物取出口１０、を備えている」こと、
・「合成画像４５を印刷前に確認するために、ハーフミラー５を介してスクリーン窓４に表示する第１表示手段である第１ビデオモニタ１」を有すること、
・「第１ビデオモニタ１が撮影手段であるビデオカメラ３の近傍に配置されている」こと、
・「合成用画像データ４０は図６に示すように、グラフィック画像データ４１、前景画像データ４２、背景画像データ４４より成る」こと、
・「前景画像データ４２及び背景画像データ４４は、利用者が選択しやすいように、それぞれ類似したデザイン毎にグループ化して登録してある」こと、
・「モデル人物画像データとは、特定の合成用画像データ４０のデザインに適したポーズをとった人物画像だけが写されたデータであり、顔だけの画像、上半身の画像、全身画像、等の様々な画像の様々なアングルのデータが用意されている」こと、
・「モデル人物画像データ及びモデル人物・背景画像データについて説明する。これは利用者Ｍが合成用背景画像データ４４を準備するに際して、前景画像データ４２や背景画像データ４４を選択する時に実際に完成した合成画像４５のイメージを掴みやすくするために用意しているものである。そしてこれらのデータも、コンピュータ７を構成する合成用画像データ登録装置２４ａに登録されている」こと、
・「このモデル人物画像データは次のように利用される。利用者Ｍが、まず前景画像データ４２及び背景画像データ４４を選択し準備した後、選択したデータに適したモデル人物画像データを選択し、これらを合成して、モデル人物・背景画像データを作成する」こと、
・「或いは、前述の通り、予めコンピュータ７に用意される前景画像データ４２及び背景画像データ４４に対応したモデル人物画像データを含んだモデル人物・背景画像データを、まず合成画像データ登録装置２４ａに前以て登録しておき、利用者Ｍは、前景画像データ４２及び背景画像データ４４を選択する際に、操作スイッチ９を操作して、このモデル人物・背景画像データを第１ビデオモニタ１に表示し、このモデル人物・背景画像データ中のモデル肖像の表情、或いはポーズ等を参照して、前景画像データ４２及び背景画像データ４４を選択する。」こと
が記載事項として抽出される。
　
　そして、前景・背景画像データや人物画像データの選択において、選択するためには選択のための表示手段及び表示制御手段が必要であることは、技術常識から当然であり、前景・背景画像データや人物画像データの選択のための表示手段及び表示制御手段は記載されているに等しいといえるから、引用例１には、
「利用者の肖像を撮影手段により撮影し、その撮影された肖像から合成された合成画像をを第２ビデオモニタ２に表示し、その合成画像を印刷手段によりシール紙に印刷して、取り出し口に出す映像プリント装置において、
　前記撮影手段の近傍に配置され前記撮影手段による合成画像を印刷前に確認するために表示する第１ビデオモニタ１と、
　予めそれぞれ類似したデザイン毎にグループ化して登録されている背景画像データと、その背景画像データを含む特定の合成用画像データのデザインに適したポーズをとる人物画像だけがうつされたデータであって、前記特定の合成用画像データごとに異なる様々なアングルのデータがコンピュータ７を構成する合成用画像データ登録装置２４ａに登録されており、
　前記撮影手段の近傍に配置され、選択した背景・画像データに適したモデル人物画像データを選択するための表示手段と、
　撮影時に、まず前景画像データ４２及び背景画像データ４４を選択し準備した後、選択したデータに適したモデル人物画像データを選択するための表示手段及びその表示制御手段と、
　ユーザの操作により登録装置に登録されている複数のデータから、前景画像データ４２及び背景画像データ４４を選択するための選択手段とを備え、
　前記表示制御手段は、予めコンピュータ７に用意される前景画像データ４２及び背景画像データ４４に対応したモデル人物画像データを含んだモデル人物・背景画像データを、まず合成画像データ登録装置２４ａに前以て登録しておき、前景画像データ４２及び背景画像データ４４を選択する際に、このモデル人物・背景画像データを第１ビデオモニタ１に表示するか、または、まず前景画像データ４２及び背景画像データ４４を選択し準備した後、選択したデータに適したモデル人物画像データを選択し表示するものである映像プリント装置。」の発明（以下、「引用発明」という。）、及び、
　
「利用者の肖像を撮影手段により撮影し、その撮影された肖像から合成された合成画像を第２ビデオモニタ２に表示し、その合成画像を印刷手段によりシール紙に印刷して、取り出し口に出す映像プリント装置において、
　前記撮影手段の近傍に配置され前記撮影手段による合成画像を印刷前に確認するために表示する第１ビデオモニタ１と、
　予めそれぞれ類似したデザイン毎にグループ化して登録されている背景画像データと、その背景画像データを含む特定の合成用画像データのデザインに適したポーズをとる人物画像だけがうつされた様々なアングルのデータであって、前記特定の合成用画像データごとに異なる様々なアングルのデータがコンピュータ７を構成する合成用画像データ登録装置２４ａに登録されており、
　前記撮影手段の近傍に配置され、選択した背景・画像データに適したモデル人物画像データを選択するための表示手段と、
　ユーザの操作により登録装置に登録されている複数のデータから、前景画像データ４２及び背景画像データ４４を選択するための選択手段と、
　まず前景画像データ４２及び背景画像データ４４を選択し準備した後、選択したデータに適したモデル人物画像データを選択するための選択手段と、
　撮影時に、まず前景画像データ４２及び背景画像データ４４を選択し準備した後、選択したデータに適したモデル人物画像データを選択し、これらを合成して、モデル人物・背景画像データを作成するための表示手段及びその表示制御手段と、
を備えた映像プリント装置」（以下、「引用発明２」という。）が記載されている。
　
　また、平成１９年７月３０日付手続補正前である平成１９年５月３０日付の拒絶理由通知書に引用され、本願の出願前に頒布された刊行物である特開平１１−２９８８４８号公報（以下、「引用例２」という。）には、図面の記載と共に以下の事項が記載されている。
　
オ．「【００９０】サムネイル画像作成部２１９は、図略のレベル調整回路とＷＢ調整回路とを有し、夕焼けモードが設定されているとき、画像メモリ２０９から所定の画素ピッチで画像データを粗くサンプリングしてサムネイル画像を作成するとともに、このサムネイル画像に所定のレベル調整及びＷＢ調整を施して夕焼け画像の色の調子の異なるサムネイル画像を作成する。本実施の形態では、夕焼け画像の色の調子として９種類の異なる調子が用意されており、サムネイル画像作成部２１９は、画像メモリ２０９から９回、画像データを粗くサンプリングしてサムネイル画像ＳＧ１〜ＳＧ９を９枚作成し、各サムネイル画像ＳＧ１〜ＳＧ９に下記表２に示すレベル調整及びＷＢ調整の処理を行い、順次、プレビュー画像作成部２２０に出力する。
【００９１】また、サムネイル画像作成部２１９は、撮影者により記録すべき撮影画像のレベル調整及びＷＢ調整の調整値が選択されると、画像メモリ２０９から全画像データを読み出し、その画像データに設定された調整値に基づきレベル調整及びＷＢ調整を施して、周波数処理部２１７に出力する。
【００９２】プレビュー画像作成部２２０は、サムネイル画像作成部２１９から順次、入力されるサムネイル画像ＳＧ１〜ＳＧ９をＶＲＡＭ２１０の所定の記憶領域に転送することによりプレビュー画像を作成する。すなわち、ＶＲＡＭ２１０の記憶領域においてサムネイル画像ＳＧ１〜ＳＧ９を所定のマトリックス（本実施の形態では、９×９の配列）に配列した画像が作成されるように、各サムネイル画像ＳＧ１〜ＳＧ９は順次、ＶＲＡＭ２１０に転送され、ＬＣＤ表示部１０に表示される。」
　
カ．「【００９５】　夕焼けモードでは、撮影が行われると、まず、ＬＣＤ表示部１０に、図１５に示すサムネイル画像ＳＧ１〜ＳＧ９による夕焼け強調処理の見本画像が表示される。図１５において、サムネイル画像ＳＧ１の二重線表示は、当該サムネイル画像ＳＧ１がＷＢ調整及びレベル調整の調整値として初期選択されていることを示している。撮影者がこの見本画像で画像の仕上がりを確認し、ＵＰスイッチ６及びＤＯＷＮスイッチ７を操作してＬＣＤ表示部１０に表示されたサムネイル画像ＳＧ１〜ＳＧ９のいずれかを選択すると、メモリカード１８に記録すべき撮影画像のＷＢ調整及びレベル調整の調整値が設定される。なお、ＵＰスイッチ６及びＤＯＷＮスイッチ７を操作する毎に選択表示（二重線表示）がサムネイル画像ＳＧ１から昇順若しくは降順に順次、移動し、ＵＰスイッチ６及びＤＯＷＮスイッチ７を同時に操作することで、当該選択表示されたサムネイル画像の選択が確定される。」
　
（２）対比
　ここで、査定前補正発明と引用発明を対比する。
　引用発明の「利用者の肖像」は査定前補正発明の「被写体」に相当する。
　また、引用発明の「撮影された肖像から合成された合成画像」は査定前補正発明の「撮影画像を含む画像」に相当する。
　また、引用発明の「第２ビデオモニタ２」は合成画像を表示するものであるから、査定前補正発明の「メインパネル」に相当する。
　また、引用発明の「合成画像を印刷手段によりシール紙に印刷し取り出し口に出す」ことは、査定前補正発明の「編集が施された画像に基づく写真を印刷手段によりシール台紙に印刷して払い出す」ことに相当する。
　また、引用発明の「撮影手段による合成画像を印刷前に確認するために表示する第１ビデオモニタ１」は査定前補正発明の「撮影手段による被写体のモニタ画像を表示するモニタ手段」に相当する。
　また、引用発明の「予めそれぞれ類似したデザイン毎にグループ化して登録されている背景画像データ」は査定前補正発明の「予め定められた異なる撮影テーマごとの背景」のデータに相当する。
　また、引用発明の「背景画像データを含む特定の合成用画像データのデザインに適したポーズをとる人物画像だけが写されたデータ」は査定前補正発明の「撮影テーマに応じたポーズをとる人物モデルとからなるポーズ見本画像」のデータに相当する。
　また、引用発明の「特定の合成用画像データごとに異なる様々なアングルのデータがコンピュータ７を構成する合成用画像データ登録装置２４ａに登録され」ていることは査定前補正発明の「撮影テーマごとにポーズの異なる人物モデルを含む前記ポーズ見本画像を記憶する」ことに相当する。
　また、引用発明の「選択した背景・画像データに適したモデル人物画像データを選択するための表示手段」は査定前補正発明の「ポーズ見本画像を表示する見本表示手段」に相当する。
　また、引用発明の「撮影時に、まず前景画像データ４２及び背景画像データ４４を選択し準備した後、選択したデータに適したモデル人物画像データを選択するための表示手段及びその表示制御手段」と査定前補正発明の「撮影時に、前記メインパネルに前記記憶手段に記憶されている前記複数の撮影テーマを表示するとともに、前記複数の撮影テーマそれぞれに対応するポーズ見本画像をサムネイル画像として前記メインパネルに小さく表示する表示制御手段」とは、「撮影時に、前記メインパネルに前記記憶手段に記憶されている前記複数の撮影テーマを表示するとともに、前記複数の撮影テーマそれぞれに対応するポーズ見本画像を表示する表示制御手段」である点で一致している。
　また、引用発明の「ユーザの操作により登録装置に登録されている複数のデータから、前景画像データ４２及び背景画像データ４４を選択するための選択手段」は査定前補正発明の「ユーザの操作により前記複数の撮影テーマから所望の撮影テーマを選択するテーマ選択手段」に相当する。
　また、表示制御手段に関し、引用発明の「予めコンピュータ７に用意される前景画像データ４２及び背景画像データ４４に対応したモデル人物画像データを含んだモデル人物・背景画像データを、まず合成画像データ登録装置２４ａに前以て登録しておき、前景画像データ４２及び背景画像データ４４を選択する際に、このモデル人物・背景画像データを第１ビデオモニタ１に表示する」ことは、査定前補正発明の「前記テーマ選択手段により選択された前記撮影テーマに対応する前記ポーズ見本画像を前記見本表示手段に表示させる」ことに相当する。
　また、同じく、表示制御手段に関し、引用発明の「まず前景画像データ４２及び背景画像データ４４を選択し準備した後、選択したデータに適したモデル人物画像データを選択し表示する」ことと、査定前補正発明の「ユーザの操作により前記サムネイル画像のなかから選択された前記ポーズ見本画像を前記記憶手段から読み出して前記見本表示手段に表示させる」こととは、査定前補正発明のサムネイル画像がポーズ見本画像を表示したものであることを勘案すれば、「ユーザの操作により前記ポーズ見本画像のなかから選択された前記ポーズ見本画像を前記記憶手段から読み出して前記見本表示手段に表示させる」ことで一致しているといえる。
　したがって、表示制御手段に関しては、引用発明の表示制御手段も、査定前補正発明の表示制御手段も、「前記テーマ選択手段により選択された前記撮影テーマに対応する前記ポーズ見本画像、または、ユーザの操作により前記ポーズ見本画像のなかから選択された前記ポーズ見本画像を前記記憶手段から読み出して前記見本表示手段に表示させる」ものである点で一致している。
　
　したがって、引用発明と査定前補正発明とは、
「被写体を撮影手段により撮影し、その撮影画像を含む画像をメインパネルに表示し、編集が施された画像に基づく写真を印刷手段によりシール台紙に印刷して払い出す写真シール払出装置において、
　前記撮影手段の近傍に配置され前記撮影手段による被写体のモニタ画像を表示するモニタ手段と、
　予め定められた異なる撮影テーマごとの背景と、その撮影テーマに応じたポーズをとる人物モデルとからなるポーズ見本画像であって、前記撮影テーマごとにポーズの異なる人物モデルを含む前記ポーズ見本画像を記憶する記憶手段と、
　前記撮影手段の近傍に配置され、前記ポーズ見本画像を表示する見本表示手段と、
　撮影時に、前記メインパネルに前記記憶手段に記憶されている前記複数の撮影テーマを表示するとともに、前記複数の撮影テーマそれぞれに対応するポーズ見本画像を表示制御手段と、
　ユーザの操作により前記複数の撮影テーマから所望の撮影テーマを選択するテーマ選択手段とを備え、
　前記表示制御手段は、前記テーマ選択手段により選択された前記撮影テーマに対応する前記ポーズ見本画像、または、ユーザの操作により前記ポーズ見本画像のなかから選択された前記ポーズ見本画像を前記記憶手段から読み出して前記見本表示手段に表示させることを特徴とする写真シール払出装置。」の点で一致し、以下の各点で相違する。
　
相違点１；
　複数の撮影テーマそれぞれに対応するポーズ見本画像の表示のしかたについて、査定前補正発明は、見本画像を「サムネイル画像として」表示するものであるのに対し、引用発明においてはそのような限定がなされていない点。
　
相違点２；
　複数の撮影テーマそれぞれに対応するポーズ見本画像の表示について、査定前補正発明は、見本画像を「メインパネルに小さく」表示するものであるのに対し、引用発明においてはそのような限定がなされていない点。
　
（３）当審の判断
　以下、各相違点について検討する。
　
(3-1)相違点１について
　上記記載事項オ．、カ．から、引用例２には、画像形成のために選択する見本画像の表示を「サムネイル画像として」表示するものが記載されているということができ、見本画像を「サムネイル画像として」表示することは周知技術であるといえる。
　そして、撮影装置という技術分野の共通性から、引用例２における上記周知技術を引用発明に採用し、複数の撮影テーマそれぞれに対応するポーズ見本画像をサムネイル画像として表示するように構成し、上記相違点１に係る発明特定事項を得ることは当業者が容易に想到し得ることである。
　
(3-2)相違点２について
　画像形成のための見本画像を、どこにどのような大きさで表示するかについては、撮影装置の構造上の特性等を勘案して当業者が適宜設定し得る設計的事項であるから、査定前補正発明において「メインパネルに小さく」表示したことは、上記設計的事項に即して当業者が容易に設定し得た事項である。すなわち、上記相違点２に係る発明特定事項は、当業者が容易に想到し得たことである。
　
　そして、査定前補正発明によってもたらされる効果は、上記引用発明及び上記引用例２に記載された発明から当業者が予測し得る程度のものである。
　
　したがって、査定前補正発明は、引用例１に記載された発明及び引用例２に記載された発明に基づいて当業者が容易に発明することができたものである。 
　
（４）むすび
　以上のとおり、査定前補正発明は、引用例１に記載された発明及び引用例２に記載された発明に基づいて、当業者が容易に発明をすることができたものであるから、特許法第２９条第２項の規定により特許を受けることができない。すなわち、査定前補正発明は、特許出願の際独立して特許を受けることができたものではないから、仮に、査定前補正が、全体として平成１８年改正前特許法第１７条の２第４項第２号に掲げる事項を目的とする補正であって、同法第１７条の２第４項の規定に違反する補正ではないとした場合であったとしても、同法第１７条の２第５項において準用する同法第１２６条第５項の規定に違反するものであるから、同法第５３条第１項の規定によって却下の決定を行ったことに誤りはない。
　
３．平成１９年１１月１４日付の手続補正についての補正却下の決定について
　
［補正却下の決定の結論］
　平成１９年１１月１４日付の手続補正（以下、「本件補正」という。）を却下する。
　
（１）本件補正について
　上記「２．平成１９年９月６日付の補正の却下の決定の適法性についての検討」で述べたように、平成１９年７月３０日付手続補正書でなされた手続補正は、平成１９年９月６日付の補正の却下の決定で、適法に却下されたため、本件補正は、平成１９年５月７日付手続補正で補正された特許請求の範囲、明細書及び図面を補正するものである。
　すなわち、本件補正により、特許請求の範囲の請求項１に係る発明は、平成１９年５月７日付手続補正書の特許請求の範囲の請求項１に記載（上記「２−１．平成１９年７月３０日付手続補正書でなされた手続補正について」の記載参照）が、
　
「被写体を撮影手段により撮影し、その撮影画像を含む画像をメインパネルに表示し、編集が施された画像に基づく写真を印刷手段によりシール台紙に印刷して払い出す写真シール払出装置において、
　前記撮影手段の近傍に配置され前記撮影手段による被写体のモニタ画像を表示するモニタ手段と、
　予め定められた異なる撮影テーマごとの背景と、その撮影テーマに応じたポーズをとる人物モデルとからなるポーズ見本画像であって、前記撮影テーマごとにポーズの異なる人物モデルを含む前記ポーズ見本画像を記憶する記憶手段と、
　前記撮影手段の近傍に配置され、前記ポーズ見本画像を表示する見本表示手段と、
　撮影時に、前記メインパネルに前記記憶手段に記憶されている前記複数の撮影テーマを表示するとともに、前記複数の撮影テーマそれぞれに対応するポーズ見本画像をサムネイル画像として前記メインパネルに小さく表示する表示制御手段と、
　ユーザの操作により前記複数の撮影テーマから所望の撮影テーマを選択するテーマ選択手段と、
　ユーザの操作により前記サムネイル画像から所望のポーズ見本画像を選択するサムネイル選択手段とを備え、
　前記表示制御手段は、前記テーマ選択手段により選択された前記撮影テーマに対応する前記ポーズ見本画像、または、前記サムネイル選択手段により選択された前記ポーズ見本画像を前記記憶手段から読み出して前記見本表示手段に表示させることを特徴とする写真シール払出装置。」と補正された。
　
　この補正は、
ａ．「その撮影テーマに応じたポーズをとる人物モデルとからなる複数種類のポーズ見本画像」の記載を「その撮影テーマに応じたポーズをとる人物モデルとからなるポーズ見本画像」とする補正事項、及び
ｂ．『「前記テーマ選択手段により選択された撮影テーマに対応する前記複数のポーズ見本画像のなかからユーザの操作により所望のポーズ見本画像を選択するポーズ選択手段」と、「撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像をサムネイル画像として前記メインパネルに小さく表示し、前記サムネイル画像から選択された１つの前記ポーズ見本画像を読み出して前記見本表示手段に表示する表示制御手段」』の記載を
『「撮影時に、前記メインパネルに前記記憶手段に記憶されている前記複数の撮影テーマを表示するとともに、前記複数の撮影テーマそれぞれに対応するポーズ見本画像をサムネイル画像として前記メインパネルに小さく表示する表示制御手段」と「ユーザの操作により前記サムネイル画像から所望のポーズ見本画像を選択するサムネイル選択手段とを備え、前記表示制御手段は、前記テーマ選択手段により選択された前記撮影テーマに対応する前記ポーズ見本画像、または、前記サムネイル選択手段により選択された前記ポーズ見本画像を前記記憶手段から読み出して前記見本表示手段に表示させることを特徴とする写真シール払出装置。」』とする補正事項を含むものである。
　
　 そして、上記の補正事項ａ．については、「複数種類のポーズ見本画像」における「複数種類」の限定を省く補正であるから、、平成１８年改正前特許法第１７条の２第４項各号に掲げるいずれの事項をも目的とするものではない。また、上記の補正事項ｂ．については、見本画像の選択のしかたについて、実質的に変更するものであって限定するものとはいえないので、平成１８年改正前特許法第１７条の２第４項各号に掲げるいずれの事項をも目的とするものではない。よって、上記本件補正は、同法第１７条の２第４項に違反するものである。
　したがって、本件補正は、同法第１５９条第１項で読み替えて準用する同法第５３条第１項の規定により却下されるべきものである。
　
  ４．本願発明について
（１）本願発明
　平成１９年７月３０日付の手続補正及び平成１９年１１月１４日付の手続補正書は、ともに、上記のとおり却下されたので、本願の請求項１に係る発明（以下、「本願発明」という。）は、平成１９年５月７日付手続補正書の請求項１に記載された事項により特定されるものである。（上記「２−１．平成１９年７月３０日付手続補正書でなされた手続補正について」の記載参照。）
　
（２）引用例
　原査定の拒絶の理由に引用された刊行物の記載事項は、上記「２−２　独特許要件違反についての検討」の「（１）引用例」に記載したとおりである。
　
（３）対比・判断
ここで、本願発明と引用発明２を対比する。
　引用発明２の「利用者の肖像」は本願発明の「被写体」に相当する。
　また、引用発明２の「撮影された肖像から合成された合成画像」は本願発明の「撮影画像を含む画像」に相当する。
　また、引用発明２の「第２ビデオモニタ２」は合成画像を表示するものであるから、本願発明の「メインパネル」に相当する。
　また、引用発明２の「合成画像を印刷手段によりシール紙に印刷し取り出し口に出す」ことは、本願発明の「編集が施された画像に基づく写真を印刷手段によりシール台紙に印刷して払い出す」ことに相当する。
　また、引用発明２の「撮影手段による合成画像を印刷前に確認するために表示する第１ビデオモニタ１」は本願発明の「撮影手段による被写体のモニタ画像を表示するモニタ手段」に相当する。
　また、引用発明２の「予めそれぞれ類似したデザイン毎にグループ化して登録されている背景画像データ」は本願発明の「予め定められた異なる撮影テーマごとの背景」のデータに相当する。
　また、引用発明２の「背景画像データを含む特定の合成用画像データのデザインに適したポーズをとる人物画像だけが写された様々なアングルのデータ」については、は本願発明の「撮影テーマに応じたポーズをとる人物モデルとからなる複数種類のポーズ見本画像」のデータに相当する。
　また、引用発明２の「特定の合成用画像データごとに異なる様々なアングルのデータがコンピュータ７を構成する合成用画像データ登録装置２４ａに登録され」ていることは本願発明の「撮影テーマごとにポーズの異なる人物モデルを含む複数の前記ポーズ見本画像を記憶する」ことに相当する。
　また、引用発明２の「選択した背景・画像データに適したモデル人物画像データを選択するための表示手段」は本願発明の「ポーズ見本画像を表示する見本法事手段」に相当する。
　また、引用発明２の「ユーザの操作により登録装置に登録されている複数のデータから、前景画像データ４２及び背景画像データ４４を選択するための選択手段」は本願発明の「テーマ選択手段により選択された撮影テーマに対応する前記複数のポーズ見本画像のなかからユーザの操作により所望のポーズ見本画像を選択するポーズ選択手段」に相当する。
　また、引用発明２の「撮影時に、まず前景画像データ４２及び背景画像データ４４を選択し準備した後、選択したデータに適したモデル人物画像データを選択し、これらを合成して、モデル人物・背景画像データを作成するための表示手段及びその表示制御手段」と本願発明の「撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像をサムネイル画像として前記メインパネルに小さく表示し、前記サムネイル画像から選択された１つの前記ポーズ見本画像を読み出して前記見本表示手段に表示する表示制御手段」とは、「撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像を表示し、前記ポーズ見本画像から選択された１つのポーズ見本画像を読み出して前記見本表示手段に表示する表示制御手段」である点で一致している。
　
　したがって、引用発明２と本願発明とは、
「被写体を撮影手段により撮影し、その撮影画像を含む画像をメインパネルに表示し、編集が施された画像に基づく写真を印刷手段によりシール台紙に印刷して払い出す写真シール払出装置において、
　前記撮影手段の近傍に配置され前記撮影手段による被写体のモニタ画像を表示するモニタ手段と、
　予め定められた異なる撮影テーマごとの背景と、その撮影テーマに応じたポーズをとる人物モデルとからなる複数種類のポーズ見本画像であって、前記撮影テーマごとにポーズの異なる人物モデルを含む複数の前記ポーズ見本画像を記憶する記憶手段と、
　前記撮影手段の近傍に配置され、前記複数種類のポーズ見本画像を表示する見本表示手段と、
　ユーザの操作により前記複数の撮影テーマから所望の撮影テーマを選択するテーマ選択手段と、
　前記テーマ選択手段により選択された撮影テーマに対応する前記複数のポーズ見本画像のなかからユーザの操作により所望のポーズ見本画像を選択するポーズ選択手段と、
　撮影時に、前記見本表示手段を制御して前記記憶手段に記憶されている前記各ポーズ見本画像のなかから、前記テーマ選択手段により選択された撮影テーマとともに、前記撮影テーマに対応するポーズ見本画像をサムネイル画像として前記メインパネルに小さく表示し、前記サムネイル画像から選択された１つの前記ポーズ見本画像を読み出して前記見本表示手段に表示する表示制御手段と
を備えたことを特徴とする写真シール払出装置。」の点で一致し、以下の各点で相違する。
　
相違点１；
　複数の撮影テーマそれぞれに対応するポーズ見本画像の表示のしかたについて、本願発明は、見本画像を「サムネイル画像として」表示するものであるのに対し、引用発明２においてはそのような限定がなされていない点。
　
相違点２；
　複数の撮影テーマそれぞれに対応するポーズ見本画像の表示について、本願発明は、見本画像を「メインパネルに小さく」表示するものであるのに対し、引用発明２においてはそのような限定がなされていない点。
　
（３）当審の判断
　以下、各相違点について検討する。
　
(3-1)相違点１について
　上記記載事項オ．、カ．から、引用例２には、画像形成のために選択する見本画像の表示を「サムネイル画像として」表示するものが記載されているということができ、見本画像を「サムネイル画像として」表示することは周知技術であるといえる。
　そして、撮影装置という技術分野の共通性から、引用例２における上記周知技術を引用発明に採用し、複数の撮影テーマそれぞれに対応するポーズ見本画像をサムネイル画像として表示するように構成し、上記相違点１に係る発明特定事項を得ることは当業者が容易に想到し得ることである。
　
(3-2)相違点２について
　画像形成のための見本画像を、どこにどのような大きさで表示するかについては、撮影装置の構造上の特性等を勘案して当業者が適宜設定し得る設計的事項であるから、本願発明において「メインパネルに小さく」表示したことは、上記設計的事項に即して当業者が容易に設定し得た事項である。すなわち、上記相違点２に係る発明特定事項は、当業者が容易に想到し得たことである。
　
　そして、本願発明によってもたらされる効果は、上記引用発明２及び上記引用例２に記載された周知技術から当業者が予測し得る程度のものである。
　
　したがって、本願発明は、引用例１に記載された発明及び引用例２に記載された周知技術に基づいて当業者が容易に発明することができたものである。 
　　
（４）むすび
　以上のとおり、本願発明は、引用例１に記載された発明、及び引用例２に記載された周知技術に基づいて、当業者が容易に発明をすることができたものであるから、特許法第２９条第２項の規定により特許を受けることができない。
　
　なお、平成２０年５月１４日付で提出された手続補正書案の請求項１に記載された発明についても検討したが、審決の結論に影響及ぼすものではなかった。
　
　よって、結論のとおり審決する。